(57)【要約】【課題】パチンコ機の遊技客の期待や興味の対象を増加させて、遊技の面白味を高めることができるようにする。【解決手段】パチンコ機１１の遊技領域１４にメインゲームを表示するメインゲーム表示器１５を配置し、ガラス扉１８の上辺部（遊技領域１４の上方）にサブゲームを表示するサブゲーム表示器１９を配置する。メインゲーム実行条件が成立したとき（例えばパチンコ球が始動入賞口１６に入賞したとき）にメインゲームを実行し、メインゲームで大当りが成立したときには、可変入賞装置１７の開閉板１７ａを所定時間だけ開放して通常よりもパチンコ球を入賞しやすくする。更に、サブゲーム実行条件が成立したとき（例えばメインゲームで大当りが成立したとき）にサブゲームを実行し、サブゲームで当りが成立したときには、パチンコ店からのサービス球として台間球貸機２２から所定数のパチンコ球を払い出す。【選択図】　図１
2004008631.tif 000002
【特許請求の範囲】
【請求項１】
遊技客に第１の特典を与えるためのメインゲームを制御するメインゲーム制御手段と、
前記メインゲームを表示するメインゲーム表示器と、
遊技客に第２の特典を与えるためのサブゲームを制御するサブゲーム制御手段と、
前記サブゲームを表示するサブゲーム表示器とを備え、
前記メインゲーム表示器と前記サブゲーム表示器のうちの一方が遊技領域に配置され、他方が該遊技領域以外の場所に配置されていることを特徴とする遊技　機。
【請求項２】
前記メインゲーム表示器と前記サブゲーム表示器のうちの一方が前記遊技領域に配置され、他方が該遊技領域の上方に配置されていることを特徴とする請求項１に記載の遊技機。
【請求項３】
前記サブゲーム制御手段は、前記サブゲームで当りが成立したときに前記第２の特典として遊技機外部に設けられた球貸機からパチンコ球を払い出すように制御することを特徴とする請求項１又は２に記載の遊技機。
【請求項４】
前記サブゲーム制御手段は、前記サブゲームで当りが成立したときに前記第２の特典として遊技客に所定の景品を与えるように制御することを特徴とする請求項１又は２に記載の遊技機。
【請求項５】
前記サブゲーム制御手段は、
前記メインゲームで当りが成立したとき、
前記メインゲームで当りが成立する一歩手前の状態になったとき、
前記メインゲームで当りが不成立となった回数が所定回数以上になったとき、
前記メインゲームで当り以外の特定の状態になったとき
のうちの少なくとも１つの条件が成立したときに前記サブゲームを実行することを特徴とする請求項１乃至４のいずれかに記載の遊技機。
【請求項６】
前記サブゲーム制御手段は、
遊技の継続時間が所定時間以上になったとき、
パチンコ球の発射数が所定数以上になったとき、
パチンコ島に戻したパチンコ球の数が所定数以上になったとき、
所定の時刻になったとき、
球貸機の球貸操作部が操作されたとき
のうちの少なくとも１つの条件が成立したときに前記サブゲームを実行することを特徴とする請求項１乃至５のいずれかに記載の遊技機。
【発明の詳細な説明】
【０００１】
【発明の属する技術分野】
本発明は、遊技客に所定の特典を与えるためのゲームを表示するゲーム表示器を備えた遊技機に関するものである。
【０００２】
【従来の技術】
近年の遊技機（例えばパチンコ機）は、遊技領域に、ＣＲＴや液晶表示器等からなるゲーム表示器を配置し、このゲーム表示器に、数字、絵柄等からなるゲーム用図柄を複数列（例えば３列）で表示して変動させ、変動停止後のゲーム用図柄の組み合わせによって大当りが成立するようにした図柄組み合わせゲームを行うものが多い。この図柄組み合わせゲームで大当りが成立したときには、可変入賞装置の開閉板を所定時間だけ開放して、通常よりもパチンコ球が入賞しやすくなるようにしている。
【０００３】
【発明が解決しようとする課題】
しかしながら、上記従来の遊技機では、遊技客に何らかの特典を与えるための手段が、遊技領域に配置したゲーム表示器しかないので、このゲーム表示器で表示されるゲームだけにしか遊技客の期待や興味が沸かず、遊技の面白味が少ないという欠点がある。
【０００４】
本発明はこのような事情を考慮してなされたものであり、従ってその目的は、遊技客の期待や興味の対象を増加させることができて、遊技の面白味を高めることができる遊技機を提供することにある。
【０００５】
【課題を解決するための手段】
上記目的を達成するために、本発明の請求項１の遊技機は、遊技客に第１の特典を与えるためのメインゲームを制御するメインゲーム制御手段と、そのメインゲームを表示するメインゲーム表示器とを設けると共に、遊技客に第２の特典を与えるためのサブゲームを制御するサブゲーム制御手段と、そのサブゲームを表示するサブゲーム表示器とを設け、メインゲーム表示器とサブゲーム表示器のうちの一方を遊技領域に配置し、他方を遊技領域以外の場所に配置するようにしたものである。
【０００６】
このようにすれば、メインゲーム表示器で表示されるメインゲームと、サブゲーム表示器で表示されるサブゲームの両方に対して遊技客の期待や興味を抱かせることができる。また、パチンコ機の場合、メインゲーム表示器とサブゲーム表示器を両方とも遊技領域に配置すると、入賞口・入賞装置の配置スペースやパチンコ球の転動スペースが狭くなってしまうが、本発明では、メインゲーム表示器とサブゲーム表示器のうちの一方のみを遊技領域に配置し、他方を遊技領域以外の場所に配置するので、入賞口・入賞装置の配置スペースやパチンコ球の転動スペースが狭くならずに済む。
【０００７】
この場合、メインゲーム表示器とサブゲーム表示器のうちのどちらかのゲーム表示器を遊技領域の下方に配置すると、遊技領域の下方への拡大がゲーム表示器で制限されて、遊技領域の大型化に対応できなくなる。
【０００８】
そこで、請求項２のように、メインゲーム表示器とサブゲーム表示器のうちの一方を遊技領域に配置し、他方を遊技領域の上方に配置するようにすると良い。このようにすれば、遊技領域の下方への拡大がゲーム表示器で制限されることがなくなるため、遊技領域の大型化にも対応しやすくなる。
【０００９】
また、サブゲームによって遊技客に与える第２の特典の具体例としては、請求項３のように、サブゲームで当りが成立したときに遊技機外部に設けられた球貸機からパチンコ球を払い出すようにしても良い。このようにすれば、サブゲームで当りが成立したときに、パチンコ店からのサービス球として球貸機から所定数のパチンコ球を払い出すことができ、遊技客に新たな楽しみを与えることができる。
【００１０】
或は、請求項４のように、サブゲームで当りが成立したときに遊技客に所定の景品を与えるようにしても良い。このようにすれば、サブゲームで当りが成立したときに、遊技客にパチンコ球以外の景品（例えばコーヒー、ジュース）を与えることができる。この場合、サブゲームで当りが成立したときに景品と交換可能な引換券等の引換媒体を払い出す装置を設けるようにしても良いが、サブゲームで当りが成立した旨を表示器や報知器等でパチンコ店員に知らせたり、遊技機から当りの情報をホール管理用のホストコンピュータに送信してパチンコ店員に知らせ、パチンコ店員が遊技客に景品を渡すようにしても良い。
【００１１】
また、サブゲームの実行条件は、種々の条件が考えられるが、例えば、請求項５のように、メインゲームで当りが成立したとき、メインゲームで当りが成立する一歩手前の状態（いわゆるリーチ状態）になったとき、メインゲームで当りが不成立となった回数が所定回数以上になったとき、メインゲームで当り以外の特定の状態になったときのうちの少なくとも１つの条件が成立したときに、サブゲームを実行するようにしても良い。このようにすれば、メインゲームに関連したタイミングでサブゲームを開始することができる。
【００１２】
また、請求項６のように、遊技の継続時間が所定時間以上になったとき、パチンコ球の発射数が所定数以上になったとき、パチンコ島に戻したパチンコ球（いわゆるアウト球やセーフ球）の数が所定数以上になったとき、所定の時刻になったとき、球貸機の球貸操作部が操作されたときのうちの少なくとも１つの条件が成立したときに、サブゲームを実行するようにしても良い。このようにすれば、メインゲームとは独立したタイミングで、サブゲームを開始することができる。
【００１３】
【発明の実施の形態】
《実施形態（１）》
以下、本発明をパチンコ機に適用した実施形態（１）を図１乃至図４に基づいて説明する。まず、図１に基づいてパチンコ機の前面側の概略構成を説明する。パチンコ機１１（遊技機）の前面側上部には、遊技盤１２が取り付けられている。この遊技盤１２の前面に取り付けられたレール１３等によって、遊技盤１２の前面に、パチンコ球が転動する遊技領域１４が区画形成され、この遊技領域１４の中央部に、メインゲームを表示するメインゲーム表示器１５が設けられている。このメインゲーム表示器１５は、ＣＲＴ、液晶表示器、回転ドラム等で構成され、メインゲーム表示器１５には、数字、絵柄等からなるゲーム用図柄が複数列（例えば３列）に並んで表示される。このメインゲーム表示器１５の下方には、始動入賞口１６と可変入賞装置１７が設けられ、これ以外の遊技領域１４の複数箇所に、通常の入賞口や入賞装置（図示せず）が設けられている。
【００１４】
また、遊技盤１２の前面側には、ガラス扉１８が設けられている。このガラス扉１８の枠部は、遊技領域１４を取り囲むように形成され、このガラス扉１８の上辺部（つまり遊技領域１４の上方）に、サブゲームを表示するサブゲーム表示器１９が設けられている。このサブゲーム表示器１９は、例えば多数のＬＥＤ（発光ダイオード）を配列して構成され、サブゲーム表示器１９には、数字、絵柄等からなるゲーム用図柄が複数列（例えば３列）に並んで表示される。尚、サブゲーム表示器１９についても、ＣＲＴ、液晶表示器、回転ドラム等で構成するようにしても良い。
【００１５】
一方、パチンコ機１１の前面側下部には、パチンコ球を貯溜する球皿２０や球発射装置（図示せず）の発射操作ハンドル２１が設けられている。また、パチンコ機の側方には、台間球貸機２２が配置され、この台間球貸機２２の貸球排出ノズル２３の出口が、球皿２０の上方に位置している。
【００１６】
また、図２に示すように、パチンコ機１１には、メインゲームを制御するメイン制御回路２４（メインゲーム制御手段）の基板と、サブゲームを制御するサブ制御回路２５（サブゲーム制御手段）の基板とが別々に設けられ、更に、メインゲーム表示器１５の表示を制御するメイン画像制御回路２６の基板と、サブゲーム表示器１９の表示を制御するサブ画像制御回路２７の基板とが別々に設けられている。そして、メイン制御回路２４が、メイン画像制御回路２６を制御することでメインゲーム表示器１５にメインゲームを表示し、メイン制御回路２４からの制御信号に基づいてサブ制御回路２５が、サブ画像制御回路２７を制御することでサブゲーム表示器１９にサブゲームを表示する。
【００１７】
メイン制御回路２４は、図３に示すメインゲーム制御プログラムを実行することで、メインゲーム実行条件が成立したときにメインゲームを実行する。このメインゲームは、例えば、メインゲーム表示器１５に表示された３列のゲーム用図柄を上下方向にスクロールして変動させ、その後、各列のゲーム用図柄の変動を所定順序で停止させる。変動停止後のゲーム用図柄の組み合わせが所定の大当りの組み合わせになったとき（例えば「７」が横方向に３つ並んだとき）に、大当りが成立する。メインゲームで大当りが成立したときには、可変入賞装置１７の開閉板１７ａを所定時間だけ開放して、通常よりもパチンコ球を入賞しやすくする。
【００１８】
一方、サブ制御回路２５は、図４に示すサブゲーム制御プログラムを実行することで、サブゲーム実行条件が成立したときにサブゲームを実行する。このサブゲームは、例えば、サブゲーム表示器１９に表示された３列のゲーム用図柄を上下方向にスクロールして変動させ、その後、各列のゲーム用図柄の変動を所定順序で停止させる。変動停止後のゲーム用図柄の組み合わせが所定の当りの組み合わせになったとき（例えば「７」が横方向に３つ並んだとき）に、当りが成立する。サブゲームで当りが成立したときには、パチンコ店からのサービス球として台間球貸機２２から所定数のパチンコ球を払い出す。
【００１９】
以下、図３に示すメインゲーム制御プログラムとサブゲーム制御プログラムの具体的な処理内容を説明する。
図３に示すメインゲーム制御プログラムは、メイン制御回路２４で所定周期で実行される。本プログラムが起動されると、まず、ステップ１０１で、メインゲーム実行条件が成立したか否かを、例えばパチンコ球が始動入賞口１６に入賞したか否かによって判定する。もし、メインゲーム実行条件が成立していなければ、以降の処理を実行することなく本プログラムを終了する。
【００２０】
一方、メインゲーム実行条件が成立した場合には、ステップ１０２以降のメインゲーム処理を次のようにして実行する。まず、ステップ１０２で、図柄変動制御を開始して、メインゲーム表示器１５に３列のゲーム用図柄を表示した状態で、各列のゲーム用図柄を上下方向にスクロールして変動させる。
【００２１】
この後、ステップ１０３に進み、メイン制御回路２４で実行した抽選の結果に基づいて大当りを成立させるか否かを判定する。その結果、大当りを成立させると判定されれば、ステップ１０４に進み、メインゲーム表示器１５の各列のゲーム用図柄の変動を所定順序で停止させる際に、２列のゲーム用図柄を停止させた時点で、その２列のゲーム用図柄を大当りの一歩手前となるリーチ状態（例えば「７」が横方向に２つ並んだ状態）にして所定のリーチ演出を実行する。
【００２２】
この後、ステップ１０５に進み、３列のゲーム用図柄を大当り状態（例えば「７」が横方向に３つ並んだ状態）にして停止させて大当りを成立させる。この後、ステップ１０６に進み、可変入賞装置１７の開閉板１７ａを所定時間だけ開放して、通常よりもパチンコ球を入賞しやすくする。
【００２３】
これに対して、上記ステップ１０３で、大当りを成立させないと判定された場合には、ステップ１０７に進み、３列のゲーム用図柄をはずれ状態にして停止させる。その際、メイン制御回路２４で実行した抽選の結果に基づいてリーチ演出有りのはずれであるか否かを判定して、リーチ演出有りのはずれの場合は、２列のゲーム用図柄を停止させた時点でリーチ状態にして所定のリーチ演出を実行した後、３列のゲーム用図柄をはずれ状態にして停止させるようにしても良い。
【００２４】
一方、図４に示すサブゲーム制御プログラムは、サブ制御回路２５で所定周期で実行される。本プログラムが起動されると、まず、ステップ２０１で、サブゲーム実行条件が成立したか否かを、例えばメインゲームで大当りが成立したか否かによって判定する。
【００２５】
尚、メインゲームでリーチ状態になった（又はリーチ演出が開始された）か否かによってサブゲーム実行条件が成立したか否かを判定するようにしても良い。また、メインゲームで当りが不成立となった連続回数（又は積算回数）が所定回数以上になったか否かによってサブゲーム実行条件が成立したか否かを判定するようにしても良い。また、メインゲームで当り以外の特定のゲーム用図柄が出たか否か、或は、ゲーム用図柄の組み合わせが当り以外の特定の組み合わせになったか否かによってサブゲーム実行条件が成立したか否かを判定するようにしても良い。
【００２６】
もし、サブゲーム実行条件が成立していなければ、以降の処理を実行することなく本プログラムを終了する。
一方、サブゲーム実行条件が成立した場合には、ステップ２０２以降のサブゲーム処理を次のようにして実行する。まず、ステップ２０２で、図柄変動制御を開始して、サブゲーム表示器１９に３列のゲーム用図柄を表示した状態で、各列のゲーム用図柄を上下方向にスクロールして変動させる。
【００２７】
この後、ステップ２０３に進み、メイン制御回路２４からの制御信号に基づいてサブ制御回路２５で実行した抽選の結果に基づいて当りを成立させるか否かを判定する。その結果、当りを成立させると判定されれば、ステップ２０４に進み、サブゲーム表示器１９の各列のゲーム用図柄の変動を所定順序で停止させる際に、２列のゲーム用図柄を停止させた時点で、その２列のゲーム用図柄を当りの一歩手前となるリーチ状態（例えば「７」が横方向に２つ並んだ状態）にして所定のリーチ演出を実行する。
【００２８】
この後、ステップ２０５に進み、３列のゲーム用図柄を当り状態（例えば「７」が横方向に３つ並んだ状態）にして停止させて当りを成立させる。この後、ステップ２０６に進み、パチンコ店からのサービス球として台間球貸機２２から所定数のパチンコ球を払い出す。
【００２９】
これに対して、上記ステップ２０３で、当りを成立させないと判定された場合には、ステップ２０７に進み、３列のゲーム用図柄をはずれ状態にして停止させる。その際、サブ制御回路２５で実行した抽選の結果に基づいてリーチ演出有りのはずれであるか否かを判定して、リーチ演出有りのはずれの場合は、２列のゲーム用図柄を停止させた時点でリーチ状態にして所定のリーチ演出を実行した後、３列のゲーム用図柄をはずれ状態にして停止させるようにしても良い。
【００３０】
以上説明した本実施形態（１）によれば、メイン表示器１４で表示されるメインゲームで大当りが成立したときに、可変入賞装置１７の開閉板１７ａを開放して、通常よりもパチンコ球を入賞しやすくし、サブゲーム表示器１９で表示されるサブゲームで当りが成立したときに、台間球貸機２２からサービス球を払い出す。これにより、メインゲーム表示器１５で表示されるメインゲームと、サブゲーム表示器１９で表示されるサブゲームの両方に対して遊技客の期待や興味を抱かせることができ、遊技の面白味を高めることができる。
【００３１】
しかも、本実施形態（１）では、メインゲーム表示器１５のみを遊技領域１４に配置し、サブゲーム表示器１９を遊技領域１４以外の場所（ガラス扉１８の上辺部）に配置したので、入賞口・入賞装置の配置スペースやパチンコ球の転動スペースが狭くならずに済み、入賞口・入賞装置の配置スペースやパチンコ球の転動スペースを十分に確保することができる。また、サブゲーム表示器１９を遊技領域１４の上方（ガラス扉１８の上辺部）に配置したので、遊技盤１２の下方への拡大がサブゲーム表示器１９で制限されることがなく、遊技盤１２の大型化にも容易に対応することができる。
【００３２】
また、本実施形態（１）では、メインゲームで大当りが成立したときに、可変入賞装置１７の開閉板１７ａを開放して、通常よりもパチンコ球を入賞しやすくするようにしたので、メインゲームで大当りが成立したときには、パチンコ球の入賞回数を多くしてパチンコ球（賞球）の払出数を多くすることができ、遊技客の願望（多数の賞球を獲得すること）を満たすことができる。
【００３３】
更に、サブゲームで当りが成立したときに、パチンコ店からのサービス球として台間球貸機２２からパチンコ球を払い出すようにしたので、台間球貸機２２を利用して遊技客にサービス球を与えることができ、遊技客に新たな楽しみを与えることができる。
【００３４】
《実施形態（２）》
前記実施形態（１）では、メインゲームを制御するメイン制御回路２４と、サブゲームを制御するサブ制御回路２５を別々に設けると共に、メインゲーム表示器１５の表示を制御するメイン画像制御回路２６と、サブゲーム表示器１９の表示を制御するサブ画像制御回路２７を別々に設けるようにしたが、図５に示す本発明の実施形態（２）では、メイン制御回路２８でメインゲームとサブゲームの両方を制御すると共に、１つの画像制御回路２９でメインゲーム表示器１５とサブゲーム表示器１９の両方を制御し、メイン制御回路２８で画像制御回路２９を制御することでメインゲーム表示器１５にメインゲームを表示すると共に、サブゲーム表示器１９にサブゲームを表示するようにしている。
【００３５】
従って、本実施形態（２）では、メイン制御回路２８が図３に示すメインゲーム制御プログラムを実行することでメインゲーム制御手段としての役割を果たし、メイン制御回路２８が図４に示すサブゲーム制御プログラムを実行することでサブゲーム制御手段としての役割を果たす。
【００３６】
以上説明した各実施形態（１），（２）では、サブゲーム表示器１９をガラス扉１８の上辺部（遊技領域１４の上方）に配置するようにしたが、ガラス扉１８を支持する本体枠がパチンコ機の前面に露出している場合には、サブゲーム表示器１９を本体枠の上辺部（遊技領域１４の上方）に配置するようにしても良い。
【００３７】
しかしながら、サブゲーム表示器１９は、必ずしも、遊技領域１４の上方に配置する必要はなく、サブゲーム表示器１９を遊技領域１４の下方（例えばパチンコ機１１の前面下部の前面パネル）に配置するようにしても良い。或は、サブゲーム表示器１９を縦長に形成して遊技領域１４の側方（例えばガラス扉１８の側辺部や本体枠の側辺部）に配置するようにしても良い。
【００３８】
また、上記各実施形態（１），（２）では、メインゲーム表示器１５を遊技領域１４に配置し、サブゲーム表示器１９を遊技領域１４以外の場所に配置するようにしたが、これとは反対に、サブゲーム表示器１９を遊技領域１４に配置し、メインゲーム表示器１５を、遊技領域１４以外の場所に配置するようにしても良い。
【００３９】
また、上記各実施形態（１），（２）では、サブゲームで当りが成立したときに、台間球貸機２２からパチンコ球を払い出すようにしたが、サブゲームで当りが成立したときに、パチンコ機１１の払出装置からパチンコ球を払い出すようにしても良い。
【００４０】
或は、サブゲームで当りが成立したときに、遊技客にパチンコ球以外の景品（例えばコーヒー、ジュース）を与えるようにしても良い。この場合、景品と交換可能な引換媒体（例えば引換券）を払い出す装置を設けるようにしても良いが、サブゲームで当りが成立した旨を表示器や報知器でパチンコ店側に知らせたり、パチンコ機から当りの情報をホール管理用のホストコンピュータに送信してパチンコ店員に知らせ、パチンコ店員が遊技客に景品を渡すようにしても良い。
【００４１】
また、上記各実施形態（１），（２）では、メインゲームで大当りが成立したとき等、メインゲームに関連したタイミングでサブゲームを実行するようにしたが、サブゲームの実行条件は、適宜変更しても良く、例えば、遊技の継続時間が所定時間以上になったとき、パチンコ球の発射数が所定数以上になったとき、パチンコ島に戻したパチンコ球（いわゆるアウト球やセーフ球）の数が所定数以上になったとき、所定の時刻（例えば午前１０時）になったとき、球貸機の球貸操作部が操作されたときのうちの少なくとも１つの条件が成立したときに、サブゲームを実行するようにしても良く、これにより、メインゲームとは独立したタイミングで、サブゲームを実行するようにしても良い。
【００４２】
また、サブゲームの実行条件をホール管理用のホストコンピュータで設定・変更できるようにしたり、パチンコ機にサブゲームの実行条件を設定・変更する操作スイッチを設けるようにしても良い。このようにすれば、パチンコ店が独自の判断で遊技客へのサービス球や景品を増やすことができる。
【００４３】
また、上記各実施形態（１），（２）では、メインゲーム表示器１５とサブゲーム表示器１９をそれぞれ１つずつ設けるようにしたが、メインゲーム表示器とサブゲーム表示器は、２つ以上設けるようにしても良い。
【００４４】
更に、メインゲームやサブゲームのゲーム内容を適宜変更しても良い。
その他、本発明は、パチンコ機に限定されず、パチンコ球を遊技媒体として用いるスロットマシンに適用して、例えば３列の回転ドラム等で構成されたメインゲーム表示器をスロットマシン中央部の遊技領域に配置し、サブゲーム表示器を遊技領域以外の場所に配置するようにしても良い。
【００４５】
【発明の効果】
以上の説明から明らかなように、本発明の請求項１の遊技機によれば、遊技客に所定の特典を与えるためのゲームを表示するメインゲーム表示器とサブゲーム表示器とを設け、その一方を遊技領域に配置し、他方を遊技領域以外の場所に配置するようにしたので、遊技領域の入賞口・入賞装置の配置スペースやパチンコ球の転動スペースを狭くすることなく、遊技客の期待や興味の対象を増加させることができ、遊技の面白味を高めることができる。
【００４６】
更に、請求項２では、メインゲーム表示器とサブゲーム表示器のうちの一方を遊技領域に配置し、他方を遊技領域の上方に配置するようにしたので、遊技領域の下方への拡大がゲーム表示器で制限されることがなく、遊技領域の大型化に容易に対応することができる。
【００４７】
また、請求項３では、サブゲームで当りが成立したときに球貸機からパチンコ球を払い出すようにしたので、球貸機を利用して遊技客にサービス球を与えることができ、遊技客に新たな楽しみを与えることができる。
【００４８】
また、請求項４では、サブゲームで当りが成立したときに遊技客に所定の景品を与えるようにしたので、遊技客にパチンコ球以外の景品（例えばコーヒー、ジュース）を与えることができる。
【００４９】
一方、請求項５では、メインゲームで当りが成立したとき、メインゲームで当りが成立する一歩手前の状態になったとき、メインゲームで当りが不成立となった回数が所定回数以上になったとき、メインゲームで当り以外の特定の状態になったときのうちの少なくとも１つの条件が成立したときに、サブゲームを実行するようにしたので、メインゲームに関連したタイミングでサブゲームを開始することができる。
【００５０】
また、請求項６では、遊技の継続時間が所定時間以上になったとき、パチンコ球の発射数が所定数以上になったとき、パチンコ島に戻したパチンコ球の数が所定数以上になったとき、所定の時刻になったとき、球貸機の球貸操作部が操作されたときのうちの少なくとも１つの条件が成立したときに、サブゲームを実行するようにしたので、メインゲームとは独立したタイミングで、サブゲームを開始することができる。
【図面の簡単な説明】
【図１】本発明の実施形態（１）を示すパチンコ機の正面図
【図２】実施形態（１）のパチンコ機の電気的構成を示すブロック図
【図３】メインゲーム制御プログラムの処理の流れを示すフローチャート
【図４】サブゲーム制御プログラムの処理の流れを示すフローチャート
【図５】実施形態（２）のパチンコ機の電気的構成を示すブロック図
【符号の説明】
１１…パチンコ機（遊技機）、１２…遊技盤、１４…遊技領域、１５…メインゲーム表示器、１６…始動入賞口、１７…可変入賞装置、１８…ガラス扉、１９…サブゲーム表示器、２２…台間球貸機、２４…メイン制御回路（メインゲーム制御手段）、２５…サブ制御回路（サブゲーム制御手段）、２８…メイン制御回路（メインゲーム制御手段，サブゲーム制御手段）。
【図１】
2004008631.tif 000003
【図２】
2004008631.tif 000004
【図３】
2004008631.tif 000005
【図４】
2004008631.tif 000006
【図５】
2004008631.tif 000007